(57)【要約】      （修正有）【課題】スタンド部が不用意に前方へ移動しないようにする商品陳列スタンドを提供する。【解決手段】商品を陳列する商品陳列棚に設けられ、商品の後方側を支持するための商品陳列スタンド７００であって、レール部１００と、レール部１００上を前後に移動可能で、商品の後方側を支持するスタンド部２００と、を備え、レール部１００の後方には、スタンド部２００が前方へ移動しないように、スタンド部２００のスタンド部側係合部２４０と着脱可能に係合するレール部側係合部３１０が設けられている。【選択図】図５
0003226145.tif 000002
【実用新案登録請求の範囲】
【請求項１】
商品を陳列する商品陳列棚に設けられ、商品の後方側を支持するための商品陳列スタンドであって、
レール部と、
前記レール部上を前後に移動可能で、前記商品の後方側を支持するスタンド部と、を備え、
前記レール部の後方には、前記スタンド部が前方へ移動しないように、前記スタンド部のスタンド部側係合部と着脱可能に係合するレール部側係合部が設けられていることを特徴とする商品陳列スタンド。
【請求項２】
前記スタンド部は、付勢部材により、前方へ向けて付勢されていることを特徴とする請求項１に記載の商品陳列スタンド。
【考案の詳細な説明】
【技術分野】
【０００１】
本考案は、店舗等で商品を陳列するための商品陳列スタンドに関するものである。
【０００２】
従来から、特許文献１に示すように、商品を陳列するための商品陳列棚上に、商品が倒れないように商品背面を支持する商品陳列スタンドが設置されていた。この商品陳列スタンドのスタンド部は、常に商品が最前列に整列するよう、商品を前方へ押し出すために、レール部に沿って前方へスライド移動できるようになっている。しかしながら、このスタンド部が不用意に前方へ移動すると、商品の陳列作業の妨げになったり、一列に整列された商品が商品陳列棚から落下したり、陳列が崩れたりするという問題があった。
【先行技術文献】
【特許文献】
【０００３】
【特許文献１】特願２０１９−０８３６５４
【考案の概要】
【考案が解決しようとする課題】
【０００４】
そこで、本考案は、上記問題に鑑み、スタンド部が不用意に前方へ移動しないようにする商品陳列スタンドを提供する。
【課題を解決するための手段】
【０００５】
上記課題を解決するために、本考案の商品陳列スタンドは、商品を陳列する商品陳列棚に設けられ、商品の後方側を支持するための商品陳列スタンドであって、レール部と、前記レール部上を前後に移動可能で、前記商品の後方側を支持するスタンド部と、を備え、前記レール部の後方には、前記スタンド部が前方へ移動しないように、前記スタンド部のスタンド部側係合部と着脱可能に係合するレール部側係合部が設けられていることを特徴とする。
【０００６】
上記特徴により、スタンド部が前方へ不用意に移動しないように固定できるので、例えば、商品の陳列作業がスタンド部によって妨げられることがなく、陳列作業が容易となるのである。また、スタンド部のスタンド部側係合部とレール部側係合部との係合を外せば、スタンド部を前方へ移動させて商品を前方へ押し出し、商品を常に最前列に整列させることが出来る。
【０００７】
さらに、本考案の商品陳列スタンドは、前記スタンド部は、付勢部材により、前方へ向けて付勢されていることを特徴とする。
【０００８】
上記特徴により、スタンド部によって商品が前方へ押し出されて、最前列に整列された状態を維持できるのである。
【考案の効果】
【０００９】
上記の本考案によれば、スタンド部が不用意に前方へ移動しないようにすることができる。
【図面の簡単な説明】
【００１０】
【図１】本考案の商品陳列スタンドの平面図である。
【図２】商品陳列スタンドの側面図である。
【図３】（ａ）はスタンド部の平面図、（ｂ）はスタンド部の側面図、（ｃ）はスタンド部の背面図である。
【図４】（ａ）は、ストッパーの平面図、（ｂ）はストッパーの正面図、（ｃ）はストッパーの側面図である。
【図５】商品陳列スタンドの側面図であって、レール部の後方側を拡大した側面図である。
【図６】商品陳列スタンドの側面図である。
【符号の説明】
【００１１】
１００        レール部
２００        スタンド部
２４０        スタンド部側係合部
３１０        レール部側係合部
７００        商品陳列スタンド
Ｘ            商品
【考案を実施するための形態】
【００１２】
以下に、本考案の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。また、本明細書で使用する「上方」とは、図１及び図２に示すように水平方向に延びる商品陳列スタンド７００のレール部１００に対して、垂直方向の上側に向かう方向のことであり、「下方」とは、垂直方向の下側に向かう方向のことである。また、「前方」とは、レール部１００の長尺方向における前側のことであり、「後方」とは、「前方」の反対側のことである。
【００１３】
まず、図１及び図２に、本考案の商品陳列スタンド７００を示す。なお、図１は商品陳列スタンド７００の平面図、図２は商品陳列スタンド７００の側面図である。
【００１４】
図１及び図２に示すように、商品陳列スタンド７００は、商品陳列棚に取り付けられる長尺状のレール部１００と、商品の底面と両側面を囲って支持する柵部４００と、レール部１００及び柵部４００上に陳列された商品の後方を支持するスタンド部２００と、スタンド部２００が前方へ移動しないように固定するストッパー３００とを備える。
【００１５】
レール部１００は、後方に、商品陳列棚の支柱（不図示）に取り付けて固定される固定部１２０と、後述するストッパー３００を取り付ける取付部１４０とを備える。この取付部１４０は、ストッパー３００の回動軸３２０を軸支する軸受け１４１を備える。また、レール部１００は、前方に、陳列した商品が落下しないように、落下防止板１３０を備える。この落下防止板１３０は、軸部１３１を中心に回動できるようになっている。また、レール部１００は、長尺方向の両辺において、平行に延びるレール溝１１１を備えている。そして、スタンド部２００は、当該スタンド部２００のライド爪がレール溝１１１に係合するように構成されており、スタンド部２００はレール溝１１１に沿って長尺方向へ前後にスライド出来るようになっている。また、レール部１００の後方にはストッパー３００が設けられており、このストッパー３００によって、後方にスライドしたスタンド部２００が、前方へ移動しないように固定している。
【００１６】
なお、図１及び図２では、レール部１００の固定部１２０を商品陳列棚の支柱（不図示）に嵌め込むように取り付けているが、これに限定されることはなく、商品陳列スタンド７００を商品陳列棚に取り付けることができれば、既存の取り付け構造を適宜採用することができる。
【００１７】
また、柵部４００は、レール部１００の長尺方向に延出し、レール部１００と略同一平面に配置される線状の底部４１０と、レール部１００の長尺方向に延出し、レール部１００の上方へ立ち上がる線状の側部４２０とを備える。そして、レール部１００と底部４１０によって商品の底面を支え、両側の側部４２０によって商品の両側を支えることで、商品は落下しないように商品陳列スタンド７００上に陳列される。
【００１８】
次に図３を参照して、スタンド部２００の構成について詳しく説明する。なお、図３（ａ）はスタンド部２００の平面図、図３（ｂ）はスタンド部２００の側面図、図３（ｃ）はスタンド部２００の背面図である。
【００１９】
スタンド部２００は、土台部２１０と当該土台部２１０から上方へ立ち上がる立壁２２０とを備える。立壁２２０の背面には、二本のリブ２２１が平行に設けられており、当該リブ２２１の間に挟まれるようにして、ぜんまい状のバネの形態の付勢部材２３０が取り付けられている。そして、付勢部材２３０の一端２３１（図１参照）は、レール部１００の先端の一部に固定されている。したがって、スタンド部２００を後方へスライドさせると、一端２３１がレール部１００の先端に固定された付勢部材２３０は、伸張していく。すると、付勢部材２３０には、縮む方向（ぜんまい状に復元する方向）に弾性力が働くので、スタンド部２００は前方へ向けて付勢されることなる。そして、商品陳列スタンド７００のレール部１００上に陳列された商品は、スタンド部２００によって前方へ押し出されて、最前列に整列された状態を維持できるのである。
【００２０】
また、土台部２１０の下端には、上方へ突出したスライド爪２１１が設けられており、このスライド爪２１１はレール部１００のレール溝１１１の内側に差し込むことができる。さらに、スライド爪２１１の上方には、回転軸２２３を中心に回転するローラー２２２が設けられており、ローラー２２２はレール溝１１１の上面を滑走できるようになっている。そのため、スタンド部２００は、スライド爪２１１とローラー２２２とでレール部１００のレール溝１１１を上下から挟み込むようにして、レール溝１１１に沿って前後にスライドできるのである。さらに、土台部２１０の後端には、後述するストッパー３００と係合するスタンド部側係合部２４０が設けられている。このスタンド部側係合部２４０は、土台部２１０から側方へ突出しており、先端にストッパー３００の一部と当接して係合する係合面２４１を備える。
【００２１】
なお、スタンド部２００は、ぜんまい状のバネの形態の付勢部材２３０を備えているが、これに限定されることはなく、スタンド部２００を前方に向けて付勢できる部材であれば、ゴム等の弾性材等、既存の部材を適宜採用することができる。また、商品陳列スタンド７００を構成する素材は、金属や樹脂等の任意の素材を適宜採用できる。なお、スタンド部２００は、付勢部材２３０を備えなくてもよく、任意に設けることができる。
【００２２】
では次に、図４を参照して、ストッパー３００の構成について詳しく説明する。なお、図４（ａ）は、ストッパー３００の平面図、図４（ｂ）はストッパー３００の正面図、図４（ｃ）はストッパー３００の側面図である。
【００２３】
図４に示すように、ストッパー３００は略直方体形状の部材であり、先端側にレール部側係合部３１０と、後端側に回動軸３２０とを備える。レール部側係合部３１０は、ストッパー３００の先端側の両側に設けられており、内面側に略Ｌ字形状に突出している。そして、レール部側係合部３１０の内側に突出した係合面３１１が、後述するように、スタンド部２００のスタンド部側係合部２４０の係合面２４１と係合することになる。
【００２４】
では次に、図５及び図６を参照して、本願発明の商品陳列スタンド７００の使用態様について説明する。なお、図５は、商品陳列スタンド７００の側面図であって、レール部１００の後方側を拡大した側面図、図６は、商品陳列スタンド７００の側面図である。なお、図５では、ストッパー３００の構成を見やすくするために、柵部４００を表示していない。
【００２５】
まず、図５の左側に示すように、レール部１００上に商品Ｘを陳列する際は、作業員は、スタンド部２００をレール部１００の後方へ向けてスライドさせる。ストッパー３００の回動軸３２０は取付部１４０の軸受け１４１に回動可能に軸支されているので、図５の中央に示すように、スタンド部２００がレール部１００の後方に移動したら、ストッパー３００を上方へ回動させる。次に、スタンド部２００をストッパー３００へ向けて更に後方へスライドさせた状態で、図５の右側に示すように、ストッパー３００を下方へ回動させれば、ストッパー３００のレール部側係合部３１０の係合面３１１とスタンド部２００のスタンド部側係合部２４０の係合面２４１とが当接して係合する。そのため、スタンド部２００が前方へ不用意に移動しないように固定できるのである。
【００２６】
そして、スタンド部２００が前方へ不用意に移動しないように固定した状態で、作業員は、図６に示すように、レール部１００の前方の落下防止板１３０と後方のスタンド部２００との間に、商品Ｘを一列に陳列していくのである。そのため、例えば、商品Ｘの陳列作業がスタンド部２００によって妨げられることがなく、陳列作業が容易となるのである。特に、スタンド部２００が付勢部材２３０を備える場合は、付勢部材２３０の付勢力によって、スタンド部２００は常に前方へ向けて移動するように引っ張られた状態となっている。そのため、スタンド部２００のスタンド部側係合部２４０とストッパー３００のレール部側係合部３１０によって、スタンド部２００が前方へ移動しないように固定されていると、スタンド部２００によって商品Ｘの陳列作業が妨げられることがなく、陳列作業が容易となるのである。また、陳列作業が完了したら、ストッパー３００を上方へ回動させて、スタンド部２００のスタンド部側係合部２４０とストッパー３００のレール部側係合部３１０の係合を外す。すると、スタンド部２００は前方へ移動できるので、例えば、商品Ｘが減った際に、陳列された商品Ｘが常に最前列に整列するように、スタンド部２００を前方へ移動させて商品Ｘを前方へ押し出し、商品Ｘの背面側を支持するのである。このように、本考案の商品陳列スタンド７００では、スタンド部２００のスタンド部側係合部２４０とレール部側係合部３１０とが着脱可能に係合するので、利便性が高いのである。
【００２７】
なお、本考案の商品陳列スタンドは、上記の実施例に限定されず、実用新案登録請求の範囲に記載された範囲、実施形態の範囲で、種々の変形例、組み合わせが可能であり、これらの変形例、組み合わせもその権利範囲に含むものである。
【図１】
0003226145.tif 000003
【図２】
0003226145.tif 000004
【図３】
0003226145.tif 000005
【図４】
0003226145.tif 000006
【図５】
0003226145.tif 000007
【図６】
0003226145.tif 000008